(57)【要約】      （修正有）【課題】基板に取り付けたハンマー差し部やシノ差し部を折畳むことができ、使用しないハンマーやシノ等の工具の差し部を各々折畳むことができて作業性・安全性に優れる工具ホルダーを提供する。【解決手段】基板１の前面１０の下方位置に下方回動支持体２を設け、下方回動支持体２に対し下方工具差し部５を回動自在に支持して、下方工具差し部５が上下方向に回動して折畳み自在であると共に、基板１の前面１０の上方位置に上方回動支持体６を設け、上方回動支持体６に対し上方工具差し部８を回動自在に支持して、上方工具差し部８が左右方向に回動して折畳み自在な構成である。【選択図】図１
0003155763.tif 000002
【実用新案登録請求の範囲】
【請求項１】
基板の前面には工具差し部が取り付けられ、当該基板の後面には安全ベルトが係止自在なベルト係止部が形成されて成る安全ベルト用工具ホルダーにおいて、
前記基板の前面に回動支持体が設けられ、その回動支持体に対し前記工具差し部が上下方向に回動自在に支持されて、当該工具差し部が上下方向に回動して折畳み自在な構成であることを特徴とする折畳み自在な安全ベルト用工具ホルダー。
【請求項２】
基板の前面には工具差し部が取り付けられ、当該基板の後面には安全ベルトが係止自在なベルト係止部が形成されて成る安全ベルト用工具ホルダーにおいて、
前記基板の前面に回動支持体が設けられ、その回動支持体に対し前記工具差し部が左右方向に回動自在に支持されて、当該工具差し部が左右方向に回動して折畳み自在な構成であることを特徴とする折畳み自在な安全ベルト用工具ホルダー。
【請求項３】
基板の前面には下方に位置する下方工具差し部と上方に位置する上方工具差し部が取り付けられ、当該基板の後面には安全ベルトが係止自在なベルト係止部が形成されて成る安全ベルト用工具ホルダーにおいて、
前記基板の前面の下方位置に下方回動支持体が設けられ、その下方回動支持体に対し前記下方工具差し部が回動自在に支持されて、当該下方工具差し部が上下方向に回動して折畳み自在であると共に、前記基板の前面の上方位置に上方回動支持体が設けられ、その上方回動支持体に対し前記上方工具差し部が回動自在に支持されて、当該上方工具差し部が左右方向に回動して折畳み自在な構成であることを特徴とする折畳み自在な安全ベルト用工具ホルダー。
【請求項４】
下方の回転支持体には左側の左方支持孔と右側の右方支持孔が形成されていると共に、ハンマー等の工具を差し込み自在な下方工具差し部に、Ｌ字状の左方接続腕部の一端とＬ字状の右方接続腕部の一端がそれぞれ接続され、当該左右の支持腕部の各他端が折曲され前記下方回転支持体の左方支持孔と右方支持孔にそれぞれ嵌挿して回動自在に支持されて、当該下方工具差し部が上下方向に回動して折畳み自在に構成されていることを特徴とする、請求項１又は３に記載した折畳み自在な安全ベルト用工具ホルダー。
【請求項５】
Ｌ字状の左右の接続腕部に接続された下方工具差し部は、当該Ｌ字状の左右の接続腕部が基板の前面に当接した状態で水平状態が保持され、その水平状態から当該下方工具差し部が約９０度上方へ回動された垂直状態の折畳みが自在に構成されていることを特徴とする、請求項４に記載した折畳み自在な安全ベルト用工具ホルダー。
【請求項６】
上方の回転支持体には上下方向に貫通した支持孔が形成されていると共に、シノ等の工具を差し込み自在な上方工具差し部に、逆Ｕ字状の接続杆の一端が接続され、当該接続杆の他端が前記上方回転支持体の支持孔に嵌挿して回動自在に支持されて、当該上方工具差し部が左右方向に最大約１８０度回動して折畳みが自在に構成されていることを特徴とする、請求項２又は３に記載した折畳み自在な安全ベルト用工具ホルダー。
【考案の詳細な説明】
【技術分野】
【０００１】
本考案は、折畳み自在な安全ベルト用工具ホルダーの技術分野に関するものである。
【背景技術】
【０００２】
従来、安全ベルト用工具ホルダーとして、例えば下記特許文献１の実用新案登録第３１０７９９９号公報に記載のもの等が開示されている。
【０００３】
当該特許文献１に係る安全ベルト用工具ホルダーＡ（ここでは特許文献１の符号をそのまま使用する。）は、ハンマー等の各種工具を保持等する工具等保持具（差し部）ｃが、板材（基板）ａの表面部１の下方部に突設状に接着して固定されている。
【０００４】
また、シノ等の工具を保持する差し部も同様に、基板（板材）に溶着されているタイプが従来一般である。
【先行技術文献】
【特許文献】
【０００５】
【特許文献１】実用新案登録第３１０７９９９号公報
【考案の概要】
【考案が解決しようとする課題】
【０００６】
前記従来のシノ等の差し部を含む工具ホルダーは、基板に溶着した工具等保持具が固着されて動かせるものではないため、そのハンマー差し部やシノ差し部を使用しない時に工具等保持具（差し部）を折畳むことは不可能である。
【０００７】
そのため、常にハンマー差し部やシノ差し部が基板から飛び出した状態となっていて作業性が悪く、工具ホルダーを不要時に収納する空間が占拠されケースへの収納が不便であった。
【０００８】
したがって、本考案の目的は、基板に取り付けたハンマー差し部やシノ差し部を折畳むことができ、使用しないハンマーやシノ等の工具の差し部を各々折畳むことができる一方、使用するハンマーやシノ等の工具の差し部を簡単に展開できて作業性・安全性に優れる上、作業を終えて収納する際には差し部を全て折畳んで小さくケースに格納でき、便利で使い勝手に優れた折畳み自在な安全ベルト用工具ホルダーを提供することにある。
【課題を解決するための手段】
【０００９】
前記課題を解決するための手段として、請求項１記載の考案の折畳み自在な安全ベルト用工具ホルダーは、基板１の前面１０に工具差し部５を取り付け、当該基板１の後面１１には安全ベルト９を係止自在なベルト係止部１２を形成して成る安全ベルト用工具ホルダーにおいて、
前記基板１の前面１０に回動支持体２を設け、その回動支持体２に対し前記工具差し部５が上下方向に回動自在に支持して、当該工具差し部５が上下方向に回動して折畳み自在な構成であることを特徴とする。
【００１０】
請求項２記載の考案の折畳み自在な安全ベルト用工具ホルダーは、基板１の前面１０に工具差し部８を取り付け、当該基板１の後面１１には安全ベルト９が係止自在なベルト係止部１２を形成して成る安全ベルト用工具ホルダーにおいて、
前記基板１の前面１０に回動支持体６を設け、その回動支持体６に対し前記工具差し部８が左右方向に回動自在に支持して、当該工具差し部８が左右方向に回動して折畳み自在な構成であることを特徴とする。
【００１１】
請求項３記載の考案の折畳み自在な安全ベルト用工具ホルダーは、基板１の前面１０に下方に位置する下方工具差し部２と上方に位置する上方工具差し部８を取り付け、当該基板１の後面１１には安全ベルト９が係止自在なベルト係止部１２を形成して成る安全ベルト用工具ホルダーにおいて、
前記基板１の前面１０の下方位置に下方回動支持体２を設け、その下方回動支持体２に対し前記下方工具差し部５を回動自在に支持して、当該下方工具差し部５が上下方向に回動して折畳み自在であると共に、前記基板１の前面１０の上方位置に上方回動支持体６を設け、その上方回動支持体６に対し前記上方工具差し部８を回動自在に支持して、当該上方工具差し部８が左右方向に回動して折畳み自在な構成であることを特徴とする。
【００１２】
請求項４記載の考案は、前記下方の回転支持体２に左側の左方支持孔２０と右側の右方支持孔２１を形成すると共に、ハンマー等の工具Ｋを差し込み自在な下方工具差し部５に、Ｌ字状の左方接続腕部３の一端３０とＬ字状の右方接続腕部４の一端４０をそれぞれ接続し、当該左右の支持腕部３、４の各他端３１、４１を折曲し前記下方回転支持体２の左方支持孔２０と右方支持孔２１にそれぞれ嵌挿して回動自在に支持し、当該下方工具差し部５が上下方向に回動して折畳み自在に構成したことを特徴とする。
【００１３】
請求項５記載の考案は、前記Ｌ字状の左右の接続腕部３、４に接続した下方工具差し部５は、当該Ｌ字状の左右の接続腕部３、４が基板１の前面１０に当接した状態で水平状態を保持し、その水平状態から当該下方工具差し部５を約９０度上方へ回動した垂直状態の折畳みが自在に構成したことを特徴とする。
【００１４】
請求項６記載の考案は、前記上方の回転支持体６に上下方向に貫通した支持孔６０を形成すると共に、シノ等の工具を差し込み自在な上方工具差し部８に、逆Ｕ字状の接続杆７の一端７０を接続し、当該接続杆７の他端７１を前記上方回転支持体６の支持孔６０に嵌挿して回動自在に支持して、当該上方工具差し部８が左右方向に最大約１８０度回動して折畳みが自在に構成したことを特徴とする。
【考案の効果】
【００１５】
請求項１記載の考案に係る折畳み自在な安全ベルト用工具ホルダーは、基板の前面には工具差し部が取り付けられ、当該基板の後面には安全ベルトが係止自在なベルト係止部が形成されて成る安全ベルト用工具ホルダーにおいて、基板前面に回動支持体が設けられ、その回動支持体に対し前記工具差し部が上下方向に回動自在に支持されて、当該工具差し部が上下方向に回動して折畳み自在な構成であるので、特にハンマー類の工具を使用しない場合に、その工具差し部を上方に回動させて折畳んで効率よく安全に作業を進めることができる。
【００１６】
一方、ハンマー類をセットして使用する場合には、逆に当該工具差し部を下方に簡単に回動させて展開し、効率よく作業を進められる。
【００１７】
また、作業終了後に当該工具ホルダーを収納する際には、工具差し部を折畳んで小さくケースに格納できる利便性にも優れている。
【００１８】
請求項２記載の考案に係る折畳み自在な安全ベルト用工具ホルダーは、基板の前面に回動支持体が設けられ、その回動支持体に対し前記工具差し部が左右方向に回動自在に支持されて、当該工具差し部が左右方向に回動して折畳み自在な構成であるので、特にシノ類の工具を使用しない場合に、その工具差し部を基板寄りの右方向に回動させて折畳んで効率よく安全に作業を進めることができる。
【００１９】
一方、シノ類をセットして使用する場合には、逆に当該工具差し部を左方向に簡単に回動させて展開し、効率よく作業を進められる。
【００２０】
作業終了後に当該工具ホルダーを収納する際には、上記同様、当該工具差し部を折畳んでケースにコンパクト格納できる利便性にも優れている。
【００２１】
請求項３記載の考案に係る折畳み自在な安全ベルト用工具ホルダーは、基板の前面の下方位置に下方回動支持体が設けられ、その下方回動支持体に対し前記下方工具差し部が回動自在に支持されて、当該下方工具差し部が上下方向に回動して折畳み自在であると共に、前記基板の前面の上方位置に上方回動支持体が設けられ、その上方回動支持体に対し前記上方工具差し部が回動自在に支持されて、当該上方工具差し部が左右方向に回動して折畳み自在な構成であるので、ハンマー類の工具のセットに使用される下方工具差し部と、シノ類の工具のセットに使用される上方工具差し部のそれぞれの使用・不使用に合せて、それら下方工具差し部と上方工具差し部の折畳みと展開を適宜行えて便利である。
【００２２】
すなわち、ハンマー類の工具を使用せず、シノ類の工具を使用する場合は、上方工具差し部を展開し、下方工具差し部を上方に回動させて折畳んだ状態で、シノ類の工具を上方工具差し部を使って効率よく安全に作業を行える。
【００２３】
これに対し、シノ類の工具を使用せず、ハンマー類の工具を使用する場合は、上方工具差し部を展開し、下方工具差し部を下方に回動させて展開した水平状態で、ハンマー類の工具を下方工具差し部を使って作業効率を高められる。
【００２４】
そして、作業終了後に当該工具ホルダーを収納する際には、下方工具差し部を上方に回動させて折畳んだ後、上方工具差し部を基板側の右方向に回動して折畳んでコンパクト化して小さなケースに格納することができる。
【００２５】
請求項４記載の考案に係る折畳み自在な安全ベルト用工具ホルダーは、下方の回転支持体には左側の左方支持孔と右側の右方支持孔が形成されていると共に、ハンマー等の工具を差し込み自在な下方工具差し部に、Ｌ字状の左方接続腕部の一端とＬ字状の右方接続腕部の一端がそれぞれ接続され、当該左右の支持腕部の各他端が折曲され前記下方回転支持体の左方支持孔と右方支持孔にそれぞれ嵌挿して回動自在に支持されているので、当該下方工具差し部を上方向に回動して折畳んだり、下方向に回動して展開する動作を円滑に行える。
【００２６】
請求項５記載の考案に係る折畳み自在な安全ベルト用工具ホルダーは、Ｌ字状の左右の接続腕部に接続された下方工具差し部が、当該Ｌ字状の左右の接続腕部が基板の前面に当接した状態で水平状態が保持されるので、かかる状態でハンマー類の工具をセットした際、確実に下方工具差し部に係止されて安全に作業を行える。
【００２７】
一方、ハンマー類の工具を使用しない場合は、前記の水平状態の下方工具差し部を約９０度上方へ回動させてやれば、垂直状態に簡単に折畳められ、基板から飛出せず安全である。
【００２８】
請求項６記載の考案に係る折畳み自在な安全ベルト用工具ホルダーは、上方の回転支持体には上下方向に貫通した支持孔が形成されていると共に、シノ等の工具を差し込み自在な上方工具差し部に、逆Ｕ字状の接続杆の一端が接続され、当該接続杆の他端が前記上方回転支持体の支持孔に嵌挿して回動自在に支持されているので、当該上方工具差し部を基板寄りの右方向に回動して折畳んだり、左方向に回動して展開する回動動作を、最大約１８０度の広い範囲で円滑に行うことができる。
【図面の簡単な説明】
【００２９】
【図１】本考案の折畳み自在な安全ベルト用工具ホルダーの使用状態を示した斜視図である。
【００３０】
【図２】同工具ホルダーの異なる使用状態を示した斜視図である。
【００３１】
【図３】同工具ホルダーの異なる使用状態を示した斜視図である。
【考案を実施するための最良の形態】
【００３２】
本考案の折畳み自在な安全ベルト用工具ホルダーの好適な実施形態を、以下図面にしたがって説明する。本請求項１〜６記載の考案に関する実施の形態は共通しているので、以下のとおり一括して説明する。
【００３３】
本実施形態の工具ホルダーの基本的構成態様は、基板１の前面１０において、下方に位置する下方工具差し部２と上方に位置する上方工具差し部８が取り付けられ、当該基板１の後面１１には安全ベルト９が係止自在なベルト係止部１２が形成されている。
【００３４】
そして、前記基板前面１０の下方位置に下方回動支持体２が設置けられ、その下方回動支持体２に対し前記下方工具差し部５が回動自在に支持されて、当該下方工具差し部５が上下方向に回動して折畳みが自在となっている。また、前記基板前面１０の上方位置に上方回動支持体６が設置けられ、その上方回動支持体６に対し前記上方工具差し部８が回動自在に支持されて、当該上方工具差し部８が左右方向に回動して折畳みが自在となっているものであり（請求項３参照）、以下に詳述する。
【００３５】
但し、説明を省略する異なる実施形態として、前記上方回動支持体６とその上方回動支持体６に対し回動自在に支持される上方工具差し部８が存在しない態様（下方工具差し部２のみのタイプ、請求項１参照）や、下方回動支持体２とその下方回動支持体２に対し回動自在に支持される下方工具差し部５が存在しない態様（上方工具差し部８のみのタイプ、請求項２参照）においても同様に実施可能である。
【００３６】
図中符号１は、下方の工具差し部５と上方の工具差し部８が、それぞれ回動自在に取り付けられる基板を示している。基板１の形状は限定されないが、図示例のように安全ベルト９の幅員よりも長い板材が好適である。なお、軽量化を図るための窓孔１０ａを、この基板１に適宜設ける形態で好適に実施される。
【００３７】
基板１０の後面１１は、安全ベルト９が係止自在なベルト係止部１２として形成されている。具体的には、前記基板１の左右の端部１Ａ、１Ａをそれぞれ後方に折曲して成る細長形状の左右の折曲板部１１ａ、１１ａを、図示例のように上端位置で全体が内側へ折曲し対称的な傾斜状にそれぞれ形成する。その左右の折曲板部１１ａ、１１ａの内側部に、安全ベルト９を左右方向から挿入して係止自在な縦長形状の嵌挿孔１１ｃ、１１ｃがそれぞれ形成されている。符号１１ｂ、１１ｂは、前記折曲された左右の端部１Ａ、１Ａの下端に形成された左右の下端留め部を示している。
【００３８】
以下に、基板１の前面１０に設置けられる下方回動支持体２と、その下方回動支持体２に対し回動自在に支持される下方工具差し部５につて説明する。
【００３９】
この回転支持体２は、全体形状が半割りされた円筒状になるように、基板前面１０の下方で、同基板１の板材を打ち抜き折曲して水平方向に形成されている。よって、当該下方回転支持体２の左方には、左側の左方支持孔２０が形成され、右方には右側の右方支持孔２１が形成されている。
【００４０】
下方の工具差し部５は、ハンマー等の工具Ｋを差し込み自在なリング状に形成され、この下方工具差し部５に、左方の接続腕部３と右方の接続腕部４が接続されている。左方接続腕部３と右方接続腕部４は、それぞれ全体がＬ字状に形成され、各内端をなす一端３０、４０がそれぞれ下方工具差し部５の外周５０に接続されている。
【００４１】
一方、当該左右の接続腕部３、４の外端をなす他端３１、４１は、それぞれ内方に折曲され、前記下方回転支持体２の左方支持孔２０と右方支持孔２１にそれぞれ嵌挿して回動自在に支持されている。したがって、下方工具差し部５が上下方向に回動して折畳みが自在となっている。
【００４２】
この下方工具差し部５が通常使用される状態は、図２に示したように水平状態で保持される。つまり、前記Ｌ字状の左右の接続腕部３、４に接続された下方工具差し部５は、当該Ｌ字状の左右の接続腕部３、４が基板１の前面１０に当接した状態で水平状態が保持される。かかる水平状態から下方工具差し部５は、図１に示したような９０度上方へ回動された垂直状態の折畳みが自由に行える。
【００４３】
次に、基板前面１０の上方に設置けられる上方回動支持体６と、その上方回動支持体６に対し回動自在に支持される上方工具差し部８につて説明する。
【００４４】
上方回動支持体６は、上下方向に貫通した支持孔６０が形成された円筒状をなし、基板１の前面１０の上方における左方位置に溶接等により固着されている。
【００４５】
一方、シノ等の工具を上方から差し込み自在な筒状の上方工具差し部８の外周８０に、逆Ｕ字状の接続杆７の一端７０が接続され、当該接続杆７の他端７１が、前記上方回転支持体６の支持孔６０に上方から嵌挿されて回動自在に支持されている。したがって、当該上方工具差し部８が左右方向に最大約１８０度回動する仕組みとなっている。
【００４６】
かくして、ハンマー類の工具Ｋを使用しない場合に、その下方工具差し部５を上方に回動させて折畳んで効率よく安全に作業を進めることができる（図１、図３）。一方、ハンマーＫ等をセットして使用する場合には、逆に当該下方工具差し部５を下方に簡単に回動させて展開すればよい（図２）。
【００４７】
換言すれば、ハンマー類の工具Ｋを使用せず、シノ類の工具を使用する場合は、上方工具差し部８を左方向に展開し（図１）、水平状態の下方工具差し部５を約９０度上方へ回動させてやれば、垂直状態に簡単に折畳められ、下方工具差し部５が基板１から飛出しない。しかも、上方工具差し部８を図３のように前記垂直状態の下方工具差し部５の前面に回動してやれば、下方工具差し部５が確実に収納されたコンパクト状態で、シノ類の工具を上方工具差し部８を使って効率よく安全に作業を行える。
【００４８】
これに対し、シノ類の工具を使用せず、ハンマー類の工具Ｋを使用する場合は、上方工具差し部８を左右方向に展開し（図１）、前記下方工具差し部５を下方に回動させて展開した水平状態で（図２）、効率よく安全に作業を行える。
【００４９】
作業終了後に当該工具ホルダー全体を収納する場合は、下方工具差し部５を上方に回動させて折畳んだ後、上方工具差し部８を基板１側の右方向に回動して折畳んで小さなケースに格納することができるのである。
【符号の説明】
【００５０】
１      基板
１０    前面
１１    後面
１２    ベルト係止部
２      下方回動支持体
２０    左方支持孔
２１    右方支持孔
３      左方接続腕部
３０    一端
３１    他端
４      右方接続腕部
４０    一端
４１    他端
５      下方工具差し部
６      上方回動支持体
６０    支持杆
７      接続杆
７０    一端
７１    他端
８      上方工具差し部
９      安全ベルト
Ｋ      ハンマー等の工具
【図１】
0003155763.tif 000003
【図２】
0003155763.tif 000004
【図３】
0003155763.tif 000005
【手続補正書】
【提出日】平成21年9月30日(2009.9.30)
【手続補正１】
【補正対象書類名】明細書
【補正対象項目名】全文
【補正方法】変更
【補正の内容】
【考案の詳細な説明】
【技術分野】
【０００１】
本考案は、折畳み自在な安全ベルト用工具ホルダーの技術分野に関するものである。
【背景技術】
【０００２】
従来、安全ベルト用工具ホルダーとして、例えば下記特許文献１の実用新案登録第３１０７９９９号公報に記載のもの等が開示されている。
【０００３】
当該特許文献１に係る安全ベルト用工具ホルダーＡ（ここでは特許文献１の符号をそのまま使用する。）は、ハンマー等の各種工具を保持等する工具等保持具（差し部）ｃが、板材（基板）ａの表面部１の下方部に突設状に接着して固定されている。
【０００４】
また、シノ等の工具を保持する差し部も同様に、基板（板材）に溶着されているタイプが従来一般である。
【先行技術文献】
【特許文献】
【０００５】
【特許文献１】実用新案登録第３１０７９９９号公報
【考案の概要】
【考案が解決しようとする課題】
【０００６】
前記従来のシノ等の差し部を含む工具ホルダーは、基板に溶着した工具等保持具が固着されて動かせるものではないため、そのハンマー差し部やシノ差し部を使用しない時に工具等保持具（差し部）を折畳むことは不可能である。
【０００７】
そのため、常にハンマー差し部やシノ差し部が基板から飛び出した状態となっていて作業性が悪く、工具ホルダーを不要時に収納する空間が占拠されケースへの収納が不便であった。
【０００８】
したがって、本考案の目的は、基板に取り付けたハンマー差し部やシノ差し部を折畳むことができ、使用しないハンマーやシノ等の工具の差し部を各々折畳むことができる一方、使用するハンマーやシノ等の工具の差し部を簡単に展開できて作業性・安全性に優れる上、作業を終えて収納する際には差し部を全て折畳んで小さくケースに格納でき、便利で使い勝手に優れた折畳み自在な安全ベルト用工具ホルダーを提供することにある。
【課題を解決するための手段】
【０００９】
前記課題を解決するための手段として、請求項１記載の考案の折畳み自在な安全ベルト用工具ホルダーは、基板１の前面１０に工具差し部５を取り付け、当該基板１の後面１１には安全ベルト９を係止自在なベルト係止部１２を形成して成る安全ベルト用工具ホルダーにおいて、
前記基板１の前面１０に回動支持体２を設け、その回動支持体２に対し前記工具差し部５が上下方向に回動自在に支持して、当該工具差し部５が上下方向に回動して折畳み自在な構成であることを特徴とする。
【００１０】
請求項２記載の考案の折畳み自在な安全ベルト用工具ホルダーは、基板１の前面１０に工具差し部８を取り付け、当該基板１の後面１１には安全ベルト９が係止自在なベルト係止部１２を形成して成る安全ベルト用工具ホルダーにおいて、
前記基板１の前面１０に回動支持体６を設け、その回動支持体６に対し前記工具差し部８が左右方向に回動自在に支持して、当該工具差し部８が左右方向に回動して折畳み自在な構成であることを特徴とする。
【００１１】
請求項３記載の考案の折畳み自在な安全ベルト用工具ホルダーは、基板１の前面１０に下方に位置する下方工具差し部２と上方に位置する上方工具差し部８を取り付け、当該基板１の後面１１には安全ベルト９が係止自在なベルト係止部１２を形成して成る安全ベルト用工具ホルダーにおいて、
前記基板１の前面１０の下方位置に下方回動支持体２を設け、その下方回動支持体２に対し前記下方工具差し部５を回動自在に支持して、当該下方工具差し部５が上下方向に回動して折畳み自在であると共に、前記基板１の前面１０の上方位置に上方回動支持体６を設け、その上方回動支持体６に対し前記上方工具差し部８を回動自在に支持して、当該上方工具差し部８が左右方向に回動して折畳み自在な構成であることを特徴とする。
【００１２】
請求項４記載の考案は、前記下方の回動支持体２に左側の左方支持孔２０と右側の右方支持孔２１を形成すると共に、ハンマー等の工具Ｋを差し込み自在な下方工具差し部５に、Ｌ字状の左方接続腕部３の一端３０とＬ字状の右方接続腕部４の一端４０をそれぞれ接続し、当該左右の支持腕部３、４の各他端３１、４１を折曲し前記下方回動支持体２の左方支持孔２０と右方支持孔２１にそれぞれ嵌挿して回動自在に支持し、当該下方工具差し部５が上下方向に回動して折畳み自在に構成したことを特徴とする。
【００１３】
請求項５記載の考案は、前記Ｌ字状の左右の接続腕部３、４に接続した下方工具差し部５は、当該Ｌ字状の左右の接続腕部３、４が基板１の前面１０に当接した状態で水平状態を保持し、その水平状態から当該下方工具差し部５を約９０度上方へ回動した垂直状態の折畳みが自在に構成したことを特徴とする。
【００１４】
請求項６記載の考案は、前記上方の回動支持体６に上下方向に貫通した支持孔６０を形成すると共に、シノ等の工具を差し込み自在な上方工具差し部８に、逆Ｕ字状の接続杆７の一端７０を接続し、当該接続杆７の他端７１を前記上方回動支持体６の支持孔６０に嵌挿して回動自在に支持して、当該上方工具差し部８が左右方向に最大約１８０度回動して折畳みが自在に構成したことを特徴とする。
【考案の効果】
【００１５】
請求項１記載の考案に係る折畳み自在な安全ベルト用工具ホルダーは、基板の前面には工具差し部が取り付けられ、当該基板の後面には安全ベルトが係止自在なベルト係止部が形成されて成る安全ベルト用工具ホルダーにおいて、基板前面に回動支持体が設けられ、その回動支持体に対し前記工具差し部が上下方向に回動自在に支持されて、当該工具差し部が上下方向に回動して折畳み自在な構成であるので、特にハンマー類の工具を使用しない場合に、その工具差し部を上方に回動させて折畳んで効率よく安全に作業を進めることができる。
【００１６】
一方、ハンマー類をセットして使用する場合には、逆に当該工具差し部を下方に簡単に回動させて展開し、効率よく作業を進められる。
【００１７】
また、作業終了後に当該工具ホルダーを収納する際には、工具差し部を折畳んで小さくケースに格納できる利便性にも優れている。
【００１８】
請求項２記載の考案に係る折畳み自在な安全ベルト用工具ホルダーは、基板の前面に回動支持体が設けられ、その回動支持体に対し前記工具差し部が左右方向に回動自在に支持されて、当該工具差し部が左右方向に回動して折畳み自在な構成であるので、特にシノ類の工具を使用しない場合に、その工具差し部を基板寄りの右方向に回動させて折畳んで効率よく安全に作業を進めることができる。
【００１９】
一方、シノ類をセットして使用する場合には、逆に当該工具差し部を左方向に簡単に回動させて展開し、効率よく作業を進められる。
【００２０】
作業終了後に当該工具ホルダーを収納する際には、上記同様、当該工具差し部を折畳んでケースにコンパクト格納できる利便性にも優れている。
【００２１】
請求項３記載の考案に係る折畳み自在な安全ベルト用工具ホルダーは、基板の前面の下方位置に下方回動支持体が設けられ、その下方回動支持体に対し前記下方工具差し部が回動自在に支持されて、当該下方工具差し部が上下方向に回動して折畳み自在であると共に、前記基板の前面の上方位置に上方回動支持体が設けられ、その上方回動支持体に対し前記上方工具差し部が回動自在に支持されて、当該上方工具差し部が左右方向に回動して折畳み自在な構成であるので、ハンマー類の工具のセットに使用される下方工具差し部と、シノ類の工具のセットに使用される上方工具差し部のそれぞれの使用・不使用に合せて、それら下方工具差し部と上方工具差し部の折畳みと展開を適宜行えて便利である。
【００２２】
すなわち、ハンマー類の工具を使用せず、シノ類の工具を使用する場合は、上方工具差し部を展開し、下方工具差し部を上方に回動させて折畳んだ状態で、シノ類の工具を上方工具差し部を使って効率よく安全に作業を行える。
【００２３】
これに対し、シノ類の工具を使用せず、ハンマー類の工具を使用する場合は、上方工具差し部を展開し、下方工具差し部を下方に回動させて展開した水平状態で、ハンマー類の工具を下方工具差し部を使って作業効率を高められる。
【００２４】
そして、作業終了後に当該工具ホルダーを収納する際には、下方工具差し部を上方に回動させて折畳んだ後、上方工具差し部を基板側の右方向に回動して折畳んでコンパクト化して小さなケースに格納することができる。
【００２５】
請求項４記載の考案に係る折畳み自在な安全ベルト用工具ホルダーは、下方の回動支持体には左側の左方支持孔と右側の右方支持孔が形成されていると共に、ハンマー等の工具を差し込み自在な下方工具差し部に、Ｌ字状の左方接続腕部の一端とＬ字状の右方接続腕部の一端がそれぞれ接続され、当該左右の支持腕部の各他端が折曲され前記下方回動支持体の左方支持孔と右方支持孔にそれぞれ嵌挿して回動自在に支持されているので、当該下方工具差し部を上方向に回動して折畳んだり、下方向に回動して展開する動作を円滑に行える。
【００２６】
請求項５記載の考案に係る折畳み自在な安全ベルト用工具ホルダーは、Ｌ字状の左右の接続腕部に接続された下方工具差し部が、当該Ｌ字状の左右の接続腕部が基板の前面に当接した状態で水平状態が保持されるので、かかる状態でハンマー類の工具をセットした際、確実に下方工具差し部に係止されて安全に作業を行える。
【００２７】
一方、ハンマー類の工具を使用しない場合は、前記の水平状態の下方工具差し部を約９０度上方へ回動させてやれば、垂直状態に簡単に折畳められ、基板から飛出せず安全である。
【００２８】
請求項６記載の考案に係る折畳み自在な安全ベルト用工具ホルダーは、上方の回動支持体には上下方向に貫通した支持孔が形成されていると共に、シノ等の工具を差し込み自在な上方工具差し部に、逆Ｕ字状の接続杆の一端が接続され、当該接続杆の他端が前記上方回動支持体の支持孔に嵌挿して回動自在に支持されているので、当該上方工具差し部を基板寄りの右方向に回動して折畳んだり、左方向に回動して展開する回動動作を、最大約１８０度の広い範囲で円滑に行うことができる。
【図面の簡単な説明】
【００２９】
【図１】本考案の折畳み自在な安全ベルト用工具ホルダーの使用状態を示した斜視図である。
【００３０】
【図２】同工具ホルダーの異なる使用状態を示した斜視図である。
【００３１】
【図３】同工具ホルダーの異なる使用状態を示した斜視図である。
【考案を実施するための最良の形態】
【００３２】
本考案の折畳み自在な安全ベルト用工具ホルダーの好適な実施形態を、以下図面にしたがって説明する。本請求項１〜６記載の考案に関する実施の形態は共通しているので、以下のとおり一括して説明する。
【００３３】
本実施形態の工具ホルダーの基本的構成態様は、基板１の前面１０において、下方に位置する下方工具差し部２と上方に位置する上方工具差し部８が取り付けられ、当該基板１の後面１１には安全ベルト９が係止自在なベルト係止部１２が形成されている。
【００３４】
そして、前記基板前面１０の下方位置に下方回動支持体２が設置けられ、その下方回動支持体２に対し前記下方工具差し部５が回動自在に支持されて、当該下方工具差し部５が上下方向に回動して折畳みが自在となっている。また、前記基板前面１０の上方位置に上方回動支持体６が設置けられ、その上方回動支持体６に対し前記上方工具差し部８が回動自在に支持されて、当該上方工具差し部８が左右方向に回動して折畳みが自在となっているものであり（請求項３参照）、以下に詳述する。
【００３５】
但し、説明を省略する異なる実施形態として、前記上方回動支持体６とその上方回動支持体６に対し回動自在に支持される上方工具差し部８が存在しない態様（下方工具差し部２のみのタイプ、請求項１参照）や、下方回動支持体２とその下方回動支持体２に対し回動自在に支持される下方工具差し部５が存在しない態様（上方工具差し部８のみのタイプ、請求項２参照）においても同様に実施可能である。
【００３６】
図中符号１は、下方の工具差し部５と上方の工具差し部８が、それぞれ回動自在に取り付けられる基板を示している。基板１の形状は限定されないが、図示例のように安全ベルト９の幅員よりも長い板材が好適である。なお、軽量化を図るための窓孔１０ａを、この基板１に適宜設ける形態で好適に実施される。
【００３７】
基板１０の後面１１は、安全ベルト９が係止自在なベルト係止部１２として形成されている。具体的には、前記基板１の左右の端部１Ａ、１Ａをそれぞれ後方に折曲して成る細長形状の左右の折曲板部１１ａ、１１ａを、図示例のように上端位置で全体が内側へ折曲し対称的な傾斜状にそれぞれ形成する。その左右の折曲板部１１ａ、１１ａの内側部に、安全ベルト９を左右方向から挿入して係止自在な縦長形状の嵌挿孔１１ｃ、１１ｃがそれぞれ形成されている。符号１１ｂ、１１ｂは、前記折曲された左右の端部１Ａ、１Ａの下端に形成された左右の下端留め部を示している。
【００３８】
以下に、基板１の前面１０に設置けられる下方回動支持体２と、その下方回動支持体２に対し回動自在に支持される下方工具差し部５につて説明する。
【００３９】
この回動支持体２は、全体形状が半割りされた円筒状になるように、基板前面１０の下方で、同基板１の板材を打ち抜き折曲して水平方向に形成されている。よって、当該下方回動支持体２の左方には、左側の左方支持孔２０が形成され、右方には右側の右方支持孔２１が形成されている。
【００４０】
下方の工具差し部５は、ハンマー等の工具Ｋを差し込み自在なリング状に形成され、この下方工具差し部５に、左方の接続腕部３と右方の接続腕部４が接続されている。左方接続腕部３と右方接続腕部４は、それぞれ全体がＬ字状に形成され、各内端をなす一端３０、４０がそれぞれ下方工具差し部５の外周５０に接続されている。
【００４１】
一方、当該左右の接続腕部３、４の外端をなす他端３１、４１は、それぞれ内方に折曲され、前記下方回動支持体２の左方支持孔２０と右方支持孔２１にそれぞれ嵌挿して回動自在に支持されている。したがって、下方工具差し部５が上下方向に回動して折畳みが自在となっている。
【００４２】
この下方工具差し部５が通常使用される状態は、図２に示したように水平状態で保持される。つまり、前記Ｌ字状の左右の接続腕部３、４に接続された下方工具差し部５は、当該Ｌ字状の左右の接続腕部３、４が基板１の前面１０に当接した状態で水平状態が保持される。かかる水平状態から下方工具差し部５は、図１に示したような９０度上方へ回動された垂直状態の折畳みが自由に行える。
【００４３】
次に、基板前面１０の上方に設置けられる上方回動支持体６と、その上方回動支持体６に対し回動自在に支持される上方工具差し部８につて説明する。
【００４４】
上方回動支持体６は、上下方向に貫通した支持孔６０が形成された円筒状をなし、基板１の前面１０の上方における左方位置に溶接等により固着されている。
【００４５】
一方、シノ等の工具を上方から差し込み自在な筒状の上方工具差し部８の外周８０に、逆Ｕ字状の接続杆７の一端７０が接続され、当該接続杆７の他端７１が、前記上方回動支持体６の支持孔６０に上方から嵌挿されて回動自在に支持されている。したがって、当該上方工具差し部８が左右方向に最大約１８０度回動する仕組みとなっている。
【００４６】
かくして、ハンマー類の工具Ｋを使用しない場合に、その下方工具差し部５を上方に回動させて折畳んで効率よく安全に作業を進めることができる（図１、図３）。一方、ハンマーＫ等をセットして使用する場合には、逆に当該下方工具差し部５を下方に簡単に回動させて展開すればよい（図２）。
【００４７】
換言すれば、ハンマー類の工具Ｋを使用せず、シノ類の工具を使用する場合は、上方工具差し部８を左方向に展開し（図１）、水平状態の下方工具差し部５を約９０度上方へ回動させてやれば、垂直状態に簡単に折畳められ、下方工具差し部５が基板１から飛出しない。しかも、上方工具差し部８を図３のように前記垂直状態の下方工具差し部５の前面に回動してやれば、下方工具差し部５が確実に収納されたコンパクト状態で、シノ類の工具を上方工具差し部８を使って効率よく安全に作業を行える。
【００４８】
これに対し、シノ類の工具を使用せず、ハンマー類の工具Ｋを使用する場合は、上方工具差し部８を左右方向に展開し（図１）、前記下方工具差し部５を下方に回動させて展開した水平状態で（図２）、効率よく安全に作業を行える。
【００４９】
作業終了後に当該工具ホルダー全体を収納する場合は、下方工具差し部５を上方に回動させて折畳んだ後、上方工具差し部８を基板１側の右方向に回動して折畳んで小さなケースに格納することができるのである。
【符号の説明】
【００５０】
１      基板
１０    前面
１１    後面
１２    ベルト係止部
２      下方回動支持体
２０    左方支持孔
２１    右方支持孔
３      左方接続腕部
３０    一端
３１    他端
４      右方接続腕部
４０    一端
４１    他端
５      下方工具差し部
６      上方回動支持体
６０    支持杆
７      接続杆
７０    一端
７１    他端
８      上方工具差し部
９      安全ベルト
Ｋ      ハンマー等の工具
【手続補正２】
【補正対象書類名】実用新案登録請求の範囲
【補正対象項目名】全文
【補正方法】変更
【補正の内容】
【実用新案登録請求の範囲】
【請求項１】
基板の前面には工具差し部が取り付けられ、当該基板の後面には安全ベルトが係止自在なベルト係止部が形成されて成る安全ベルト用工具ホルダーにおいて、
前記基板の前面に回動支持体が設けられ、その回動支持体に対し前記工具差し部が上下方向に回動自在に支持されて、当該工具差し部が上下方向に回動して折畳み自在な構成であることを特徴とする折畳み自在な安全ベルト用工具ホルダー。
【請求項２】
基板の前面には工具差し部が取り付けられ、当該基板の後面には安全ベルトが係止自在なベルト係止部が形成されて成る安全ベルト用工具ホルダーにおいて、
前記基板の前面に回動支持体が設けられ、その回動支持体に対し前記工具差し部が左右方向に回動自在に支持されて、当該工具差し部が左右方向に回動して折畳み自在な構成であることを特徴とする折畳み自在な安全ベルト用工具ホルダー。
【請求項３】
基板の前面には下方に位置する下方工具差し部と上方に位置する上方工具差し部が取り付けられ、当該基板の後面には安全ベルトが係止自在なベルト係止部が形成されて成る安全ベルト用工具ホルダーにおいて、
前記基板の前面の下方位置に下方回動支持体が設けられ、その下方回動支持体に対し前記下方工具差し部が回動自在に支持されて、当該下方工具差し部が上下方向に回動して折畳み自在であると共に、前記基板の前面の上方位置に上方回動支持体が設けられ、その上方回動支持体に対し前記上方工具差し部が回動自在に支持されて、当該上方工具差し部が左右方向に回動して折畳み自在な構成であることを特徴とする折畳み自在な安全ベルト用工具ホルダー。
【請求項４】
下方の回動支持体には左側の左方支持孔と右側の右方支持孔が形成されていると共に、ハンマー等の工具を差し込み自在な下方工具差し部に、Ｌ字状の左方接続腕部の一端とＬ字状の右方接続腕部の一端がそれぞれ接続され、当該左右の支持腕部の各他端が折曲され前記下方回動支持体の左方支持孔と右方支持孔にそれぞれ嵌挿して回動自在に支持されて、当該下方工具差し部が上下方向に回動して折畳み自在に構成されていることを特徴とする、請求項３に記載した折畳み自在な安全ベルト用工具ホルダー。
【請求項５】
Ｌ字状の左右の接続腕部に接続された下方工具差し部は、当該Ｌ字状の左右の接続腕部が基板の前面に当接した状態で水平状態が保持され、その水平状態から当該下方工具差し部が約９０度上方へ回動された垂直状態の折畳みが自在に構成されていることを特徴とする、請求項４に記載した折畳み自在な安全ベルト用工具ホルダー。
【請求項６】
上方の回動支持体には上下方向に貫通した支持孔が形成されていると共に、シノ等の工具を差し込み自在な上方工具差し部に、逆Ｕ字状の接続杆の一端が接続され、当該接続杆の他端が前記上方回動支持体の支持孔に嵌挿して回動自在に支持されて、当該上方工具差し部が左右方向に最大約１８０度回動して折畳みが自在に構成されていることを特徴とする、請求項３に記載した折畳み自在な安全ベルト用工具ホルダー。